(57)【要約】【課題】製織ベルト及びこれを用いたシートベルト装置において、装着感を向上する。【解決手段】シートベルト３は、経糸と緯糸とにより製織したウェビングからなる製織ベルトであり、ベルト部３Ａ，３Ｃと、その間の扁平な袋状に製織した袋体部３Ｂとを有する。シートベルト３のウェビングを製織する経糸１０２に結節糸１０１を組み入れることによって、袋体部３Ｂの表裏の面３Ｂ１，３Ｂ２を幅方向の複数個所で長手方向に結節して、袋体部３Ｂの強度を維持したまましなやかで柔らかいものとし、シートベルト３の装着感を向上させた。【選択図】図４
2009143441.tif 000002
【特許請求の範囲】
【請求項１】
経糸と緯糸とにより製織したウェビングからなる製織ベルトであって、扁平な袋状に製織した袋体部を有し、前記経糸に前記袋体部の表裏の面を幅方向の複数個所で長手方向に結節する結節糸を組み入れたことを特徴とする製織ベルト。
【請求項２】
前記結節糸は、前記表裏の面の一方の面と他方の面との間でベルト長手方向に蛇行させることにより、前記一方の面及び他方の面の緯糸と交絡させて、前記表裏の面をベルト長手方向に結節することを特徴とする請求項１記載の製織ベルト。
【請求項３】
前記袋体部を、ベルトによる拘束対象との接触部分に有することを特徴とする請求項１または２記載の製織ベルト。
【請求項４】
搭乗者を拘束するシートベルトと、
このシートベルトを巻き取り可能な巻き取り装置と、
固定部材側に接続されたバックルと、
前記シートベルトに設けられ、前記バックルと係合するタングとを有するシートベルト装置において、
前記シートベルトとして請求項１乃至３のいずれか１項に記載の製織ベルトを用いることを特徴とするシートベルト装置。
【発明の詳細な説明】
【技術分野】
【０００１】
本発明は、経糸と緯糸により製織したウェビングからなる製織ベルト及びそれを用いたシートベルト装置に関する。
【背景技術】
【０００２】
従来より、重量物を拘束したり、複数の資材などをひとつにまとめるためのベルトとして、高強度の繊維を製織したウェビングが多く用いられている。このようなウェビングのよく知られた利用例のひとつとして、車両などの座席に搭乗者の身体を拘束するためのシートベルト装置のシートベルトがある。
【０００３】
一般に、シートベルト装置は、搭乗者を拘束するシートベルトと、このシートベルトの一方側を引き出し可能に巻き取るリトラクタ装置（巻取装置）と、シートベルトに設けたタングと、このタングと係合するバックル等とにより構成される（例えば、特許文献１参照）。
【０００４】
このようなシートベルト装置においては、搭乗者がリトラクタ装置からシートベルトを引き出し、このシートベルトに設けられたタングをバックルに係合させてシートベルトを装着する。これにより、搭乗者がシートに拘束されるようになっている。
【０００５】
【特許文献１】特開平５−３２１１５４号公報
【発明の開示】
【発明が解決しようとする課題】
【０００６】
上記のシートベルトは、車両の衝突時に搭乗者の身体を拘束するというその性質上、高強度に構成されている。したがって、車両衝突時等に搭乗者の身体に大きな荷重が作用した場合には、シートベルトの身体への当たりがきつくなり、装着感の低下を招くおそれがあった。またこのとき、搭乗者はシートベルトの幅方向両端に形成されたエッジが身体に当たることによって凸感覚を受け、これによっても装着感の低下を招くおそれがあった。
【０００７】
本発明の目的は、装着感を向上することができるシートベルト及びこれを用いたシートベルト装置を提供することにある。
【課題を解決するための手段】
【０００８】
上記目的を達成するために、第１の発明は、経糸と緯糸とにより製織したウェビングからなる製織ベルトであって、扁平な袋状に製織した袋体部を有し、前記経糸に前記袋体部の表裏の面を幅方向の複数個所で長手方向に結節する結節糸を組み入れたことを特徴とする。
【０００９】
製織ベルトが例えば車両のシートベルト装置のシートベルとして用いられる場合、搭乗者がリトラクタからシートベルトを引き出し、このシートベルトに設けられたタングをバックルに係合させることによりシートベルトが装着され、これにより搭乗者がシートに拘束される。
【００１０】
このとき、本願第１発明では、製織ベルトに扁平な袋体部を製織で設けているので、袋体部を柔らかくしなやかなものにでき、幅方向両端部に硬いエッジが立つこともない。これにより、製織ベルトをシートベルトに用い、シートベルトの搭乗者の身体との接触部分に袋体部を配設することで、シートベルトの身体との接触をしなやかにでき、シートベルトの装着感が向上するとともに、車両衝突時等に搭乗者の身体に大きな荷重が作用した場合にも、シートベルトの身体への当たりを柔らかくすることができる。また袋体部は、ウェビングを製織する経糸に結節糸を組み入れることによって、表裏の面をベルト幅方向の複数個所で長手方向に結節しているので、袋体部の強度低下を防いで製織ベルトの全体の強度を維持することができ、シートベルトに用いて搭乗者拘束機能を保持することができる。また袋体部の結節を、経糸に結節糸に組み入れることによって袋体部を製織する過程で一緒に行っているので、製織した袋体部を後から縫製することによって結節する等の場合とは異なり、袋体部にしわ等の問題を発生することがなく、その点からも袋体部のしなやかさを向上することができ、外観を損ねることもない。
【００１１】
第２の発明は、前記結節糸は、前記表裏の面の一方の面と他方の面との間でベルト長手方向に蛇行させることにより、前記一方の面及び他方の面の緯糸と交絡させて、前記表裏の面をベルト長手方向に結節することを特徴とする。
【００１２】
これにより、袋体部の強度低下を防いだ結節をすることができる。
【００１３】
第３の発明は、前記袋体部を、ベルトによる拘束対象との接触部分に有することを特徴とする。
【００１４】
これにより、製織ベルトをシートベルト装置のシートベルトとして用いる場合、袋体部をシートベルトの拘束対象である搭乗者の身体との接触部分に位置させることができ、シートベルトの装着感を向上することができる。
【００１５】
上記目的を達成するために、第４の発明は、搭乗者を拘束するシートベルトと、このシートベルトを巻き取り可能な巻き取り装置と、固定部材側に接続されたバックルと、前記シートベルトに設けられ、前記バックルと係合するタングとを有するシートベルト装置において、前記シートベルトとして上記請求項１乃至３のいずれか１項に記載の製織ベルトを用いることを特徴とする。
【００１６】
第４の発明によれば、シートベルト装置のシートベルトに、経糸と緯糸とによりウェビングを扁平な袋体部を有するように製織した製織ベルトを用い、その経糸に結節糸を組み入れることによって袋体部の表裏の面をベルト幅方向の複数個所で長手方向に結節しているので、シートベルトの身体との接触をしなやかにでき、シートベルトの装着感が向上するとともに、車両衝突時等に搭乗者の身体に大きな荷重が作用した場合にも、シートベルトの身体への当たりを柔らかくすることができ、また袋体部の強度低下を防いでシートベルト全体の強度を維持することができ、シートベルトの搭乗者拘束機能を保持することができる等の効果がある。
【発明の効果】
【００１７】
本発明によれば、製織ベルト及びこれを用いたシートベルト装置において、ベルトの装着感を向上することができる。
【発明を実施するための最良の形態】
【００１８】
以下、本発明の実施の形態を図面を参照しつつ説明する。以下においては、本発明の製織ベルトをシートベルト装置に適用した例を示す。
【００１９】
まず、本発明の製織ベルが適用可能なシートベルト装置の実施の形態について説明する。図１は、本発明の一実施形態によるシートベルト装置の全体構造を示す斜視図である。
【００２０】
この図１において、シートベルト装置１は、シートベルト３と、このシートベルト３の一方側を引き出し可能に巻き取るリトラクタ装置(巻き取り装置)２と、シートベルト３に摺動可能に設けたタング８と、このタング８と係合するバックル９とを備えている。バックル９は、ワイヤ１０及びブラケット１１を介して車体側に固定されている。
【００２１】
シートベルト３は、上記したようにその一方側がリトラクタ装置２により巻き取られると共に、途中でセンターピラー４の上部に設けられたスルーリング５に通され、その他方側端部がセンターピラー４と座席６との間に設けられたアンカープレート７により車体側に回動可能に接続されている。
【００２２】
上記シートベルト装置１においては、搭乗者（図示せず）が座席６に着座し、リトラクタ装置２からその巻取力に抗してシートベルト３を引き出し、このシートベルト３に設けられたタング８をバックル装置５に係合させることにより、シートベルト３を装着する。これにより、搭乗者は胸部と下腹部の２箇所をシートベルト３によって巻き回され、その結果、座席６に拘束されるようになっている。
【００２３】
本実施形態によれば、シートベルト３は、ベルト部３Ａ，３Ｃと、これらベルト部３Ａ，３Ｃ間に当該ベルト部３Ａ，３Ｃと略同一の幅を有するように設けられた扁平な袋状の袋体部３Ｂとを有している。このシートベルト３は、ベルトの略長手方向に延設する経糸と略幅方向に延設する緯糸とを製織したウェビングからなる製織ベルトで形成されている。上記袋体部３Ｂは、シートベルト３のうち、搭乗者（図示せず）がタング８をバックル９に係合させてシートベルト３を装着した際に搭乗者の身体と接触する部分に配置されている。
【００２４】
本実施形態の特徴は、袋体部３Ｂにしなやかな柔軟性と必要な強度を持たせることにあるが、そのために、ウェビングを扁平な袋体部を有するように製織することによって、ウェビングから直接、袋体部３Ｂを有するシートベルト３を形成し、そのウェビングを製織する経糸に結節糸を組み入れることによって、袋体部３Ｂの上面及び下面を長手方向に結節した。
【００２５】
図２に、シートベルト３の一部分を斜視図により示す。シートベルト３は、ベルト部３Ａ，３Ｂ（図ではベルト部３Ａのみを示している）と、その間に袋体部３Ｂを一体に有するように製織したベルト状のウェビング１０からなっている。
【００２６】
図３（ａ）に、シートベルト３のベルト部３Ａの横断面図を示し、図３（ｂ）に、シートベルト３の袋体部３Ｂの横断面図を示す。
【００２７】
図３（ａ）に示されるように、ベルト部３Ａは、経糸と緯糸とで中実のベルト状に製織したウェビングから形成されている。なお、ベルト部３Ｃもこのベルト部３Ａと同様の構成である。
【００２８】
一方、図３（ｂ）に示すように、袋体部３Ｂは、経糸と緯糸とで扁平な袋状に製織したウェビングから形成されている。このような袋体部３Ｂは、ウェビングの袋織りで作成することができる。すなわち、上記ベルト部３Ａ又は３Ｃに続けて経糸１０２を表経糸１０２ａと裏経糸１０２ｂ（後述の図４を参照）とに上下に分割し、緯糸１０３を上下各１往復の２往復で一つの環状を形成するようにらせん状に進行させて筒形を順次形成していき、これによって両縁で表面３Ｂ１と裏面３Ｂ２とが結合された扁平な袋、つまり袋体部３Ｂが製織される。
【００２９】
この袋体部３Ｂの製織の際、経糸１０２に結節糸１０１を組み入れて製織することによって、袋体部３Ｂにベルト幅方向の複数個所で長手方向に結節部１１０を設けて、袋体部３Ｂがあたかも一枚の平面部を呈するように、袋体部３Ｂの表面３Ｂ１と裏面３Ｂ２とが結節されている。本例では、結節部１１０は、袋体部３Ｂのベルト幅方向を四等分するように、幅方向中央及びその幅方向中央と幅方向両端部の間の各中央部の計４か所に設けた。
【００３０】
図４に、袋体部の結節の様子を模式的に示す。図４（ａ）は、袋体部のベルト長手方向に沿った斜視図であり、図示の煩雑を避けるために、経糸１０１は説明に必要なものを除いて図示していない。図４（ｂ）は、袋体部のベルト長手方向に沿った縦断面図である。
【００３１】
図４（ａ）において、シートベルト３を構成する製織ベルト、つまりウェビングを製織する経糸１０２、緯糸１０３のうち、ベルト幅方向に配置された一平面上の複数本の経糸１０２は、袋体部３Ｂにおいて、表経糸１０２ａの列と裏経糸１０２ｂの列とに上下に分けられる。この上下各列の経糸１０２ａ，１０２ｂは、上下の位置で幅方向に往復される緯糸１０３の複数本の糸部分１０３ａ，１０３ｂと位相を変えて上下に交差して絡まることを繰り返して袋織りで製織され、両縁で表面３Ｂ１と裏面３Ｂ２とが結合された扁平な袋体部３Ｂが形成されている。そして、その袋体部３Ｂに続いてベルト部３Ａでは、上下の経糸１０２ａ，１０２ｂが合して元の一平面上の配列になり、その配列の複数本の経糸１０２が交互に位相を変えて緯糸１０３の複数本の糸部分と上下に交差して絡まることを繰り返して、中実のベルト部３Ａが製織されている。ベルト部３Ｂについても同様にされている。
【００３２】
上記経糸１０２の列には、ベルト幅方向の複数個所で経糸１０２に代えて結節糸１０１が組み入れられている。この結節糸１０１は、図４（ａ）、（ｂ）に示すように、袋体部３Ｂの表面３Ｂ１を構成する緯糸１０３の複数本（緯糸の打ち込み本数）の糸部分１０３ａに上から交差し、ついで袋体部３Ｂの裏面３Ｂ２まで下降して、該裏面３Ｂ２を構成する緯糸１０３の複数本の糸部分１０３ｂに下から交差し、ついで袋体部３Ｂの表面３Ｂ１まで上昇して、再び該表面３Ｂ１の緯糸１０３の複数本の糸部分１０３ａに上から交差する。この袋体部３Ｂの表面３Ｂ１と裏面３Ｂ２との間で結節糸１０１が蛇行するように往復して表裏面３Ｂ１，３Ｂ２の緯糸１０３の糸部分１０３ａ，１０３ｂと交絡することを長手方向に繰り返すことにより、先の図２に結節部１１０を示したように、袋体部３Ｂの表面３Ｂ１と裏面３Ｂ２とが幅方向の複数個所（４か所）で長手方向に結節されている。
【００３３】
袋体部３Ｂは、この結節糸１０１による結節で、表裏面３Ｂ１と３Ｂ２とがしっかりと結合した１枚の平面部に形成される。なお、図４（ａ）、（ｂ）において、袋体部３Ｂは、説明の便宜上、表面３Ｂ１と裏面３Ｂ２とが上下方向に間隔をあけたように図示されているが、袋体部３Ｂはベルト部３Ａ（３Ｃ）とほぼ同じ厚みに形成されている。
【００３４】
この袋体部３Ｂに所定の柔らかさと強度を得るためには、結節糸１０１に対する緯糸１０３の打ち込み本数（緯糸１０３の結節糸１０１と交差する各糸部分１０３ａ，１０３ｂの本数）は、２〜２０本程度がよく、好ましくは２〜４本である。結節糸１０１の本数（結節部１１０の個所）は、幅４８ｍｍの普通タイプのシートベルトで５〜５０本程度、幅７５ｍｍのフルハーネスタイプのシートベルトで８〜７５本程度が好ましい。これにより、袋体部３Ｂに柔らかさ・硬さを所定の範囲で調節することができる。また袋体部３Ｂに設ける結節部１１０の長さを適宜増減することによっても、袋体部３Ｂの柔らかさ・硬さを調節することができる。
【００３５】
袋体部３Ｂに続くベルト部３Ａでは、結節糸１０１は、経糸１０２と同様、緯糸１０３の複数本の糸部分と上下に交差して絡まることを繰り返して、経糸１０２と共にベルト部３Ａを製織している。ベルト部３Ｃについても同様にされる。
【００３６】
経糸１０２、緯糸１０３及び結節糸１０１に使用する糸（単糸のモノフィラメントを束ねた繊維束）としては、特に制限はないが、通常の合成繊維糸が適当である。典型的には、テレフタル酸とエチレングリコールのエステル化反応によって製造される重合体のポリエチレンテレフタレートの合成繊維が使用される。
【００３７】
本実施形態のシートベルト装置は、以上のように構成され、シートベルト３をウェビングからなる製織ベルトとし、そのシートベルト３に扁平な袋体部３Ｂを有するようにウェビングを製織したので、袋体部３Ｂを柔らかくしなやかなものにでき、幅方向両端部に硬いエッジが立つこともない。これにより、袋体部３Ｂをシートベルト３の搭乗者の身体との接触部分に配設することで、シートベルト３の身体との接触をしなやかにでき、シートベルト３の装着感が向上するとともに、車両衝突時等に搭乗者の身体に大きな荷重が作用した場合にも、シートベルト３の身体への当たりを柔らかくすることができる。また袋体部３Ｂは、ウェビングを製織する経糸１０２に結節糸１０１を組み入れることによって、表裏の面３Ｂ１，３Ｂ２をベルト幅方向の複数個所で長手方向に結節しているので、袋体部３Ｂの強度低下を防いでシートベルト３の全体の強度を維持することができ、シートベルト３の搭乗者拘束機能を保持することができる。また袋体部３Ｂの結節を、経糸１０２に結節糸１０１に組み入れることによってウェビングの製織過程で袋体部３Ｂを形成しているので、製織した袋体部３Ｂの表裏面を後から縫製で結節する等の場合と違って、袋体部３Ｂにしわ等の問題を発生することもなく、その点からも袋体部３Ｂのしなやかさを向上することができる。また外観を損なうこともない。
【００３８】
なお、以上の実施形態では、袋体部３Ｂを、シートベルト３のうち搭乗者の上半身を拘束するショルダーベルト部分に設ける構成としたが、これに限られず、例えば搭乗者の腰部を拘束するラップベルト部分に設けるようにしてもよい。
【００３９】
以上、本発明の製織ベルト及びシートベルト装置の実施形態を説明したが、上述した実施形態の具体的な構成は、本発明の内容を限定するものではなく、細部に関しては本発明の趣旨に沿って多様に変更できることはもちろんである。特に、上記実施形態では、製織ベルトを車両などのシートベルト装置のシートベルトに利用した例を中心に説明したが、本発明の製織ベルトの用途はそれに限らず、安全ベルトやハーネスなどの他の身体用拘束具などといった吊り下げ、運搬に用いられる汎用ベルトへの適用に好適である。
【図面の簡単な説明】
【００４０】
【図１】本発明の製織ベルトを適用したシートベルト装置の全体構造を示す斜視図である。
【図２】図１のシートベルト装置のシートベルトの一部分を示す斜視図である。
【図３】シートベルトの断面構造を示す図であり、（ａ）はベルト部分の横断面図、（ｂ）は袋体部の横断面図である。
【図４】袋体部の結節の様子を模式的に示す図であり、（ａ）は袋体部のベルト長手方向に沿った斜視図、（ｂ）は袋体部のベルト長手方向に沿った縦断面図である。
【符号の説明】
【００４１】
１          シートベルト装置
２          リトラクター装置
３          シートベルト
３Ａ，３Ｃ  ベルト部
３Ｂ        袋体部
３Ｂ１      表面
３Ｂ２      裏面
１０１      結節糸
１０２      経糸
１０２ａ    表経糸
１０２ｂ    裏経糸
１０３      緯糸
１０３ａ，１０３ｂ  糸部分
１１０      結節部
【図１】
2009143441.tif 000003
【図２】
2009143441.tif 000004
【図３】
2009143441.tif 000005
【図４】
2009143441.tif 000006